(57)【特許請求の範囲】
【請求項１】
複数の掘削予定区画を有する地盤の前記掘削予定区画の掘削によりそれぞれ生じた掘削土砂群がこれらの成分分析により要対策土処分場及び一般土処分場のいずれに搬送されるべきかが決定するまでの間、前記掘削土砂群が一時的に留め置かれるストックヤードの入口に配置される表示装置であって、
前記ストックヤードに搬入される前記掘削土砂の前記ストックヤード内における１の留置場所を示す特定場所表示手段と、
前記ストックヤードにおける前記掘削土砂群のための複数の留置場所を示す場所表示手段と、
前記掘削土砂群についての前記成分分析に関する分析状況を示す分析状況表示手段とを含み、
前記表示装置は、前記１つの留置場所及び前記分析状況についての情報を格納し、また、これらの情報を前記表示装置に送りかつ該表示装置がこれらの情報を表示するように制御可能であるサーバに通信可能に接続されている、表示装置。
【発明の詳細な説明】
【技術分野】
【０００１】
本発明は、地盤の掘削予定区画の掘削により生じた掘削土砂群を要対策土処分場及び一般土処分場のいずれに搬送すべきであるかの判別を行う間、前記掘削土砂群を一時的に留め置くストックヤードに適用される表示装置に関する。
【背景技術】
【０００２】
近時、「土壌汚染対策法の一部を改正する法律」が施行され、これに伴い、いわゆる自然由来の重金属（ヒ素、鉛、フッ素、ホウ素、水銀、カドミウム、セレン、六価クロム等）を含む土壌からなる地盤の掘削により生じた土砂、すなわち掘削土砂についての適切な処理が求められることとなり、その処理の方法が模索されている。
【０００３】
本発明者等は、前記掘削土砂について、次のような処理方法を考案した。この処理方法では、地盤の掘削予定区画の掘削により生じた掘削土砂の一部を試料として採取し、また、前記試料採取後に残る掘削土砂をストックヤードに留め置き、前記試料について前記掘削土砂を要対策土処分場及び一般土処分場のいずれに搬送するかを判別するための分析を行い、前記分析の結果に基づいて、前記掘削土砂を前記ストックヤードから前記要対策土処分場又は前記一般土処分場に向けて搬出する。
【０００４】
ところで、このようにして行われる掘削土砂の処理上、その作業遂行者に対して前記処理の現状、指示等を視覚的に表示することはその遂行の確実性に資するものと考えられる。従来、前記した掘削土砂の処理に適用されるものではないが、盛土ヤードへの土砂運搬車に対する行き先を示す表示装置が知られている（後記特許文献１）。
【先行技術文献】
【特許文献】
【０００５】
【特許文献１】特開２００２−１８８１４９号公報
【発明の概要】
【発明が解決しようとする課題】
【０００６】
本発明の目的は、自然由来の重金属を含有する地盤を含む全ての地盤の掘削土砂についての処理の遂行に寄与する表示装置を提供することにある。
【課題を解決するための手段】
【０００７】
本発明は、複数の掘削予定区画を有する地盤の前記掘削予定区画の掘削によりそれぞれ生じた掘削土砂群がこれらの成分分析により要対策土処分場及び一般土処分場のいずれに搬送されるべきかが決定するまでの間、前記掘削土砂群が一時的に留め置かれるストックヤードの入口に配置される表示装置に係り、前記ストックヤードに搬入される前記掘削土砂の前記ストックヤード内における１の留置場所を示す特定場所表示手段と、前記ストックヤードにおける前記掘削土砂群のための複数の留置場所を示す場所表示手段と、前記掘削土砂群についての前記成分分析に関する分析状況を示す分析状況表示手段とを含む。
【０００８】
本発明によれば、前記ストックヤードへの前記掘削土砂の搬送を担う作業者に対してその行き先の視覚的な確認を与えることができ、これにより、前記ストックヤード内の指定場所（指定の留置場所）への前記掘削土砂の的確な搬入を確保することができる。また、前記分析状況の表示により、前記ストックヤード内に留め置かれた各指定場所における掘削土砂の現状を把握することができる。これらの表示は、また、掘削土砂群相互間の混同と、これに伴う前記掘削土砂の不適切な処理の回避とに役立つ。
【０００９】
前記表示装置は、前記１つの留置場所及び前記分析状況についての情報を格納し、また、これらの情報を前記表示装置に送りかつ該表示装置がこれらの情報を表示するように制御可能であるサーバに通信可能に接続されている。
【００１０】
これによれば、前記サーバにより、前記表示装置においてなされる表示を一元的に管理しかつ最新のものとすることができる。
【図面の簡単な説明】
【００１１】
【図１】掘削土砂の処理方法の実施過程を示す概略図である。
【図２】掘削土砂の処理方法の実施のために供される情報ネットワークの概略図である。
【図３】掘削土砂が収容された複数の容器を留め置くストックヤードに適用される掲示装置の概略図である。
【発明を実施するための形態】
【００１２】
図１を参照すると、トンネル１０の構築のために地盤１２の掘削（発破掘削、機械掘削等）が行われている。地盤１２に前記自然由来の重金属が含まれていることがあり、地盤１２の掘削により生じた土砂１４は、後述する方法に従って、すなわち前記重金属の含有量の多寡に応じて処理される。この処理方法は、前記トンネルの構築のほか、例えば地下空間の築造、法面の施工等のために行われる地盤の掘削により生じる掘削土砂に適用可能である。
【００１３】
図１の参照を続けると、地盤１２には予め複数の掘削区画（掘削予定区画）が定められ、トンネル１０の構築のために前記掘削予定区画が順次に掘削され、各掘削予定区画の掘削により生じた土砂が処理の対象とされる。図１に示すところでは、先の掘削予定区画（図示せず）の掘削により生じた切羽１６から次の掘削予定区画２０をさらに掘り進めることにより新たな切羽１８が生じている。
【００１４】
掘削予定区画２０の掘削後、その掘削から生じた土砂１４における前記重金属の含有量の多寡を調べるための分析（成分分析）を行うため、土砂１４の一部を試料（図示せず）として採取し、また、前記試料を採取した後に残る土砂を後記ストックヤード２８に留め置く。
【００１５】
ここで、前記試料の採取後に残る土砂は、前記試料が土砂１４のうちのわずかな量を占めるのに対して、土砂１４のうちのほとんどの量を占める。したがって、前記試料の採取後に残る土砂は、量的には、掘削により生じた土砂１４と実質上の差異はないということができる。そこで、前記試料の採取後に残る土砂については、これを掘削土砂と呼び、かつ、これに付すべき符号を前記掘削により生じた土砂と共通の「１４」とする。
【００１６】
前記試料は、例えば、切羽１６の面（切羽面）上の少なくとも５カ所の位置から、切羽１６を構成する岩層の分布に比例する量を採取する（一例として、全量２．５Ｋｇ）。切羽１６を構成する前記岩層の分布は、前記切羽面の観察の結果に基づいて得られる。採取された前記試料は、その分析のために混合され、粉砕される。
【００１７】
前記試料は、例えば、迅速分析（前記重金属の溶出量の把握を目的とする溶出量試験、前記重金属の存在を原因とする酸性水の発生予測を目的とする溶出液ｐＨ試験、酸性水の発生予測を目的とする硫黄（Ｓ）及びカルシウム（Ｃａ）についての全量分析等）と、公定法分析（例えば溶出量試験）とからなる分析にかけられる。これらの分析の結果に基づき、掘削土砂１４について、その処分先を要対策土処分場とするか一般土処分場とするかの判別がなされる。すなわち、前記重金属の含有量が所定の基準値を超えているとき、掘削土砂１４の前記処分先が要対策土処分場に決定され、他方、地盤１２が前記重金属を含んでいないか又は該重金属の含有量が前記基準値に満たないとき、その掘削土砂１４の前記処分先が前記一般土処分場に決定される。
【００１８】
掘削土砂１４についての前記分析は、掘削現場に設けられた分析施設において、又は既存の他の分析施設に委任することにより行うことができる。
【００１９】
掘削予定区画２０の掘削により生じた、前記試料採取後の掘削土砂１４は、掘削現場２１である切羽１８の後方において、例えばホイルローダ２２のような作業機械を用いて、ベッセルと呼ばれる１又は複数の容器２４に順次に積み込んで収容する。
【００２０】
次いで、掘削土砂１４（より詳細には掘削土砂１４の全部又は一部）が収容された容器２４を、好ましくはこれを積載するための専用車両２６を用いて、ストックヤード２８に搬送する（矢印３２参照）。ストックヤード２８に搬送された容器２４は、ストックヤード２８内の予め定められた場所（指定場所）２９に降ろされ、前記分析の結果が出るまでの間、指定場所２９に留め置かれる。
【００２１】
図示の例では、ストックヤード２８が既存のトンネル３０内に設けられている。これは、このトンネル３０が、地盤１２の掘削が行われているトンネル１０と同じ道筋に構築され未供用であるため、トンネル３０内の空間がストックヤード２８として便宜的に利用されていることによる。したがって、ストックヤード２８は、トンネル３０内以外の場所、例えば原野に設けることができる。
【００２２】
ストックヤード２８に留め置かれた掘削土砂１４は、前記分析の結果に基づいて、ストックヤード２８から前記要対策土処分場及び前記一般土処分場のいずれか一方に向けて搬出される（矢印３４参照）。掘削土砂１４の搬出は、専用車両２６を用いて行うことができる。図示の専用車両２６は、また、前記処分場に到着後、容器２４を積載したままこれを傾けて容器２４内の掘削土砂１４を落下させ、容器２４内を空にする機能を有する。
【００２３】
空にされた容器（前記掘削土砂が収容された容器２４との区別のため、便宜上、これに符号２４’を付す。）は、前記したと同様の専用車両２６によりストックヤード２８に運び込まれ、その後ストックヤード２８から掘削作業中のトンネル１０内に戻され、再び、掘削土砂の収容に供される。
【００２４】
したがって、前記複数の掘削予定区画の掘削により生じた掘削土砂（掘削土砂群）は、それぞれ、掘削現場２１からストックヤード２８の複数の指定場所に運ばれ、これらの掘削土砂群は、これらについての前記分析の結果が判明するまでの間、ストックヤード２８のそれぞれの指定場所に留め置かれ、前記掘削土砂群のうち前記分析の結果が判明した掘削土砂から順に、前記分析の結果に従って、ストックヤード２８から前記要対策土処分場及び前記一般土処分場のいずれか一方に向けて搬出される。
【００２５】
好ましくは、図２に示すように、前記掘削土砂の処理のために設置された現場事務所Ａと現場詰所Ｂと分析施設Ｃとに、それぞれ、サーバＳ及び該サーバに接続されたコンピュータＰＣ１と、コンピュータＰＣ２と、コンピュータＰＣ３とを設置する。現場詰所ＢのコンピュータＰＣ２及び分析施設ＣのコンピュータＰＣ３は、インターネット、専用通信回線等からなるネットワークＮＷを介して現場事務所ＡのサーバＳに接続されている。これによれば、現場事務所Ａ、現場詰所Ｂ及び分析施設Ｃの各々において、サーバＳに格納された情報を共有することができる。また、現場詰所Ｂ及び分析施設Ｃで得られた情報を現場事務所ＡのサーバＳに送ることができる。現場事務所Ａにおいては、サーバＳに格納された前記情報に基づいて、前記掘削土砂の処分を一元的に管理することができる。
【００２６】
サーバＳには、前記掘削土砂の処理に関する情報、例えば各掘削予定区画の掘削土砂１４が収容された容器２４を特定する識別情報（ａ）、各掘削予定区画の掘削土砂の容器２４のためのストックヤード２８内における各留置場所である指定場所２９を示す場所情報（ｂ）、各掘削予定区画の掘削土砂１４についてなされた分析の情報（ｃ）等が格納される。サーバＳに格納された前記情報により、現に掘削現場２１からストックヤード２８の指定場所２９に向けて容器２４が搬送されている状況、ストックヤード２８の各指定場所に既に留め置かれている各掘削土砂についての処分の可否（前記処分場への搬出の可否）、ストックヤード２８における指定場所の空き状況等を容易に把握することができる。
【００２７】
また、掘削現場２１とストックヤード２８への入口とにそれぞれビデオカメラ（図示せず）を据え付け、かつ、各ビデオカメラを例えば現場詰所ＢのコンピュータＰＣ２に相互通信可能に接続しておくことができる。これによれば、前記ビデオカメラで撮影された映像（掘削状況、掘削現場２１からの掘削土砂の搬出状況及びストックヤード２８への掘削土砂の搬入状況についての映像）の信号をコンピュータＰＣ２に送信し、コンピュータＰＣ２からさらに現場事務所ＡのサーバＳに送信することができ、これにより、掘削現場２１及びストックヤード２８から離れた場所でこれらの状況を把握又は監視することができる。
図３に示すように、予め、ストックヤード２８の入口、図示の例では掘削土砂１４の搬入口であるトンネル３０の両端の一方の口の側方に、現場詰所ＢのコンピュータＰＣ２と通信可能である表示装置４０を設置することができる。表示装置４０は、コンピュータＰＣ２からストックヤード２８への搬入が開始される掘削土砂１４の容器２４のための場所情報（ｂ）と、ストックヤード２８の各指定場所２９における掘削土砂１４についての分析の情報（ｃ）とを受信し、コンピュータＰＣ２の制御下において、すなわちコンピュータＰＣ２からの制御信号を受けて、これらの情報を表示する。
【００２８】
ストックヤード２８の入口に設置された表示装置４０は掲示装置４１を含む。掲示装置４１は、前記場所情報（ｂ）を表示するための「搬出可能ヤード」なる文字が表示された表示板３９と、場所表示手段４２と、前記分析の情報（ｃ）を表示するための分析状況表示手段４４と、前記場所情報（ｂ）のうちの１つとを表示するための特定場所表示手段６０を備える。
【００２９】
図示の表示装置４０は、また、掲示装置４１を地面の上方に支持するための支持フレーム４６を含むものとすることができる。支持フレーム４６には、掲示装置４１の表示板３９、場所表示手段４２及び分析状況表示手段４４がそれぞれ上下に位置するように支持されている。
【００３０】
掲示装置４１の場所表示手段４２は複数の表示板４８からなり、これらの表示板４８にはそれぞれ異なる複数の符号５０が付されている。図示の例では、複数の符号５０はそれぞれアルファベットのＡ〜Ｈからなり、これらのアルファベットはそれぞれストックヤード２８内における複数の留置場所を示す。表示板４８に代えて、これを例えば電光掲示板とすることができる。
【００３１】
また、掲示装置４１の分析状況表示手段４４は、例えば、場所表示手段４２における複数の符号５０にそれぞれ対応して配置された複数の３層３色回転灯５２からなるものとすることができる。図示の回転灯５２は、上下に配列された赤色、黄色及び緑色からなる３色の層を選択的に発光させることができる。回転灯５２が発する赤色及び緑色は、それぞれ、前記分析が完了した前記掘削土砂の搬送先について、前記要対策土処分場及び前記一般土処分場であることを示し、また、黄色は前記分析が未了すなわち分析中であることを示す。なお、回転灯５２の消灯状態すなわち無発光状態は、対応するストックヤード２８の指定場所２９に掘削土砂１４が留め置かれておらず、指定場所２９が空であることを示す。
【００３２】
また、掲示装置４１の特定場所表示手段６０は、図示の例では、支持フレーム４６により最上段に支持された、「今回のストックヤード」なる文字列が付された板６２と、前記符号５０のいずれか１つを表示する電光掲示板６４とからなる。
【００３３】
ストックヤード２８の入口に表示装置４０を設置することにより、その特定場所表示手段６０を介して、掘削現場２１からストックヤード２８に向けて容器２４の搬送を担う作業者に対し、その行き先の視覚的な確認を与えることができる。これは、ストックヤード２８内の特定の指定場所への容器２４の的確な搬入を確保することに役立つ。また、分析状況表示手段４４は、ストックヤード２８内に留め置かれた各指定場所における掘削土砂の現状、すなわち該掘削土砂がストックヤード２８から搬出可能であるか否か、及び、搬出可能である場合おける該掘削土砂の搬出先についての事前把握に役立つ。これらは、また、ストックヤード２８内における掘削土砂群相互間の混同回避と、これに伴う前記掘削土砂の不適切な処理の回避とに役立つ。
【００３４】
さらに、また、ストックヤード２８内の各指定場所２９に場所情報（ｂ）を表示するための場所表示手段５６と、前記サーバと通信可能であって該サーバから分析の情報（ｃ）を送信し、前記サーバによる制御の下でこれを表示するための分析状況表示手段５８とを予め設置することができる。
【００３５】
場所表示手段５６は、例えば複数の符号５０（アルファベットのＡ〜Ｈ）が付された複数の板５７、あるいは複数の電光掲示板（図示せず）からなるものとすることができる。また、分析状況表示手段５８は、好ましくは、ストックヤード２８の入口に設置された表示装置４０における分析状況表示手段４４と同様のもの、すなわち複数の３層３色回転灯５９からなるものとすることができる。これによれば、ストックヤード２８の入口で一度確認した前記掘削土砂についての現況を再度確認することができ、これにより見間違い、記憶違い等に基づく前記掘削土砂の誤った処理を防止することができる。
【００３６】
図３には、ストックヤード２８の入口の表示装置４０における分析状況表示手段４４（３層３色回転灯５２）及び特定場所表示手段６０（電光掲示板６４）並びにストックヤード２８内の分析状況表示手段５８（３層３色回転灯５９）と、現場詰所ＢのコンピュータＰＣ２とを結ぶ通信回線が示され、それぞれに符号６６、６８及び７４が付されている。なお、符号７２は制御インターフェースを示す。
【００３７】
これによれば、現場詰所ＢのコンピュータＰＣ２において、電光掲示板６４に表示されるべき符号５０の１つを指定（入力）することができる。また、この指定に基づく前記掘削土砂のストックヤード２８内への搬入の終了後、コンピュータＰＣ２の操作により、該当する符号５０における３層３色回転灯５２の黄色を点灯させることができる。
【００３８】
前記分析の結果は、分析施設ＣのコンピュータＰＣ３に入力され、これが現場事務所ＡのサーバＳに送信される。現場事務所Ａでは、その責任者により、送信を受けた前記数値が確認されまた承認され、これが現場詰所ＢのコンピュータＰＣ２に送信される。送信を受けた前記数値に基づき、コンピュータＰＣ２の操作により、前記掘削土砂が保管されている場所を示す符号５０における３層３色回転灯５２が赤色又は緑色に点灯される。
【符号の説明】
【００３９】
１０  トンネル
１２  地盤
１４  掘削土砂
１６，１８  切羽
２０  掘削予定区画
２４  掘削土砂が収容された容器
２８  ストックヤード
４０  表示装置
４１  掲示装置
４２  場所表示手段
４４  分析状況表示手段
６０  特定場所表示手段
【図１】
0005931456.tif 000002
【図２】
0005931456.tif 000003
【図３】
0005931456.tif 000004